(57)【要約】【課題】  ＩＳＯブラケティング撮影した一連の画像の画質が大きく異なることを防ぐオートブラケティング機能を有する電子カメラの提供。【解決手段】  ＩＳＯブラケティング撮影におけるＩＳＯブラケティング量の設定可能範囲を低ＩＳＯ設定時には大きく、高ＩＳＯ設定時には小さく設定する。【選択図】        図１
2005257743.tif 000002
【特許請求の範囲】
【請求項１】
設定されているＩＳＯ値を基準として、高感度側ないし低感度側へＩＳＯ値を変更した撮影を複数回行わせるオートブラケティング撮影モードを備えた電子カメラにおいて、
前記オートブラケティングのブラケティング量を設定するブラケティング量設定手段と、設定されているＩＳＯ値に応じて、前記ブラケティング量設定手段で設定可能なブラケティング量のレンジを変更する制御手段を備えることを特徴とするオートブラケティング機能を有する電子カメラ。
【請求項２】
撮影に関する情報を表示する表示手段を有し、前記オートブラケティング撮影モード時に、前記表示手段に前記オートブラケティングのブラケティング量を表示する為のスケール表示を表示し、前記制御手段により決められたブラケティングの露出段数のレンジに対応して前記スケール表示を変更する制御手段を備えることを特徴とする請求項１記載のオートブラケティング機能を有する電子カメラ。
【請求項３】
設定されているＩＳＯ値が高感度になるに従い、前記ブラケティング量設定手段で設定可能なブラケティング量のレンジを漸次小さくする制御手段を備えることを特徴とする請求項１または請求項２記載のオートブラケティング機能を有する電子カメラ。
【発明の詳細な説明】
【技術分野】
【０００１】
本発明は、ＩＳＯ値を、自動的に変化させながら連続撮影を行うオートブラケティング（段階露光）機能を有する電子カメラに関するものである。
【背景技術】
【０００２】
従来より、銀塩フィルムを用いるスチルカメラでは、夕暮れのシーンや高反射率の被写体が部分的に存在するなど、適正な露出の決定が困難な場合には、同一シーンの露出をわずかに変えながら複数コマ撮影し、その中から適正な露出のコマを選択する、いわゆるオートブラケティング撮影が行われている。
【０００３】
撮影デバイスとして、ＣＣＤなどを用いる電子スチルカメラを利用する場合でも、露出に関する事情は同じであり、適正でない露光量で撮影を行うと暗い画像や、逆に明るすぎる画像しか得られないので、露出決定の難しいシーンでは、銀塩カメラと同様オートブラケティング撮影を行うことになる。
【０００４】
また、電子スチルカメラ特有の手法として、ＩＳＯ値の値を自動的に変化させてオートブラケティング撮影を行う手法（以後、ＩＳＯブラケティングと記す）が特許文献１にて開示されている。
【０００５】
電子スチルカメラで、ＩＳＯ値を変更する手段としては、Ａ／Ｄ変換する前のアナログ信号に対しゲイン調整を行うことにより変更する手段（以下アナログゲイン調整と記す）と、Ａ／Ｄ変換して生成した画像データに対し、レベル補正、ガンマー調整処理を行うことにより変更する手段（以下デジタルゲイン調整と記す）がある。
【特許文献１】特開平１１−００４３８０号公報
【発明の開示】
【発明が解決しようとする課題】
【０００６】
ＣＣＤなどの電子撮像素子の一般的な特性として、高感度に設定するにつれてノイズが次第に増え、画像が荒くなってしまう等の画質への影響がある。また、このＩＳＯ値の上昇に伴うノイズの増加は低感度側では視覚的にはそれほど目立たず、画質への影響は小さいが、高感度側で急激に目立つようになる傾向にある。
【０００７】
そのため、例えばＩＳＯ１００、ＩＳＯ２００、ＩＳＯ４００、ＩＳＯ８００、ＩＳＯ１６００、ＩＳＯ３２００と感度を変更して撮影した場合、ＩＳＯ１００と４００で撮影した画像を比較すると画質的に大きな違いは視認できないないが、同じ２段の感度差でもＩＳＯ８００とＩＳＯ３２００で撮影した画像を比較すると、ＩＳＯ３２００で撮影した画像はＩＳＯ８００で撮影した画像に比べ極端にノイズが多く荒い画像となり、画質的に大きな違いがあるように視認される傾向がある。
【０００８】
そのため、ある程度高感度のＩＳＯ値に設定されているときに、大きなブラケティング量を設定してＩＳＯブラケティング撮影を行うと、高感度側で撮影された画像は基準で設定されているＩＳＯ値で撮影した画像と比較して著しくノイズが多く、荒い画像となり、画質の面で大きく特性が異なることとなり、撮影者の撮影意図と異なる画像が撮影されてしまう原因となってしまう問題があった。
【０００９】
本発明は、以上の点に着目して成されたもので、ＩＳＯブラケティング撮影した一連の画像の画質が大きく異なることを防ぐオートブラケティング機能を有する電子カメラを提供することを目的とする。
【課題を解決するための手段】
【００１０】
上記課題を解決するために請求項１記載のデジタルカメラは、
設定されているＩＳＯ値を基準として、高感度側ないし低感度側へＩＳＯ値を変更した撮影を複数回行わせるオートブラケティング撮影モードを備えた電子カメラにおいて、
前記オートブラケティングのブラケティング量を設定するブラケティング量設定手段と、設定されているＩＳＯ値に応じて、前記ブラケティング量設定手段で設定可能なブラケティング量のレンジを変更する制御手段を備えることにより、ＩＳＯブラケティング撮影において撮影した画像の画質が大きく異なる事を防ぐものである。
【００１１】
また、請求項２記載のデジタルカメラは、
請求項１記載のデジタルカメラにおいて、撮影に関する情報を表示する表示手段を有し、前記オートブラケティング撮影モード時に、前記表示手段に前記オートブラケティングのブラケティング量を表示する為のスケール表示を表示し、前記制御手段により決められたブラケティングの露出段数のレンジに対応して前記スケール表示を変更する制御手段を備えることにより、撮影者が設定可能なＩＳＯブラケティングのブラケティング露出段数が常に正確に把握できるようにするものである。
【００１２】
また、請求項３記載のデジタルカメラは、
請求項１または請求項２記載のデジタルカメラにおいて、設定されているＩＳＯ値が高感度になるに従い、前記ブラケティング量設定手段で設定可能なブラケティング量のレンジを漸次小さくする制御手段を備えることにより、ＩＳＯ値が高感度に設定されている場合のＩＳＯブラケティング撮影において撮影した画像の画質が大きく異なる事を防ぐものである。
【発明の効果】
【００１３】
本発明は、
請求項１記載のデジタルカメラは、設定されているＩＳＯ値を基準として、高感度側ないし低感度側へＩＳＯ値を変更した撮影を複数回行わせるオートブラケティング撮影モードを備えた電子カメラにおいて、
前記オートブラケティングのブラケティング量を設定するブラケティング量設定手段と、設定されているＩＳＯ値に応じて、前記ブラケティング量設定手段で設定可能なブラケティング量のレンジを変更する制御手段を備えることにより、ＩＳＯブラケティング撮影において撮影した画像の画質が大きく異なる事を防ぐことができる効果がある。
【００１４】
また、請求項２記載のデジタルカメラは、撮影に関する情報を表示する表示手段を有し、前記オートブラケティング撮影モード時に、前記表示手段に前記オートブラケティングのブラケティング量を表示する為のスケール表示を表示し、前記制御手段により決められたブラケティングの露出段数のレンジに対応して前記スケール表示を変更する制御手段を備えることにより、撮影者が設定可能なＩＳＯブラケティングのブラケティング露出段数が常に正確に把握でき、操作性の向上を実現できる効果がある。
【００１５】
また、請求項３記載のデジタルカメラは、請求項１または請求項２記載のデジタルカメラにおいて、設定されているＩＳＯ値が高感度になるに従い、前記ブラケティング量設定手段で設定可能なブラケティング量のレンジを漸次小さくする制御手段を備えることにより、ＩＳＯ値が高感度に設定されている場合のＩＳＯブラケティング撮影において撮影した画像の画質が大きく異なる事を防ぐ効果がある。
【発明を実施するための最良の形態】
【００１６】
以下、本発明の実施の形態を一眼レフタイプデジタルカメラの実施例により詳しく説明する。
【実施例】
【００１７】
なお、本実施例では、記録手段として着脱可能な記録媒体を用いているが、本発明はこれに限らず、記録装置を内蔵する形で同様に実施することができる。
【００１８】
図１および図２には、本発明の実施例である“一眼レフタイプデジタルカメラ”を示している。
【００１９】
図１は、本発明の実施例による一眼レフタイプのデジタルカメラの構成を示す上面図、図２は同デジタルカメラの構成を示す背面図である。
【００２０】
各図において、１００はカメラ本体、１１１はファインダー観察用の接眼窓である。図１及び図２において、１１２はＡＥ（自動露出）ロックボタン、１１３はＡＦ（オートフォーカス）の測距点選択ボタンである。
【００２１】
１１４は撮影操作をするためのレリーズボタンであり、第１ストロークでＳＷ１がＯＮし、第２ストロークでＳＷ２がＯＮする構成となっている。
【００２２】
１１５は第１の操作手段であるメイン電子ダイヤルで、例えば９０°位相のずれた２ビットの信号をマイクロコンピュータ１に送ることにより、回転方向と回転クリック数が検出される。
【００２３】
この回転方向と回転クリック数を検出することで、他の操作釦と併用して、カメラに数値を入力したり、撮影モードを切り換えたりすることが可能となる。
【００２４】
尚、この情報設定方法は、特開昭５８−６３９２２号公報や特開昭６０−１０３３３１号公報において公知であるので、詳しい説明は省略する。
【００２５】
図１及び図２において、１１７は撮影モード選択ボタン、１１８はＡＦモード選択ボタン、１１９は測光モード選択ボタンで、調光補正ボタンも兼ねている。
【００２６】
例えば、撮影モード選択ボタン１１７を押しながらメイン電子ダイヤル１１５を回転させると、ＴＶ優先→ＡＶ優先→マニアル→プログラム→ＴＶ優先→ＡＶ優先→マニアル→プログラム…と変更され、撮影者の意図するモードに設定することができる。
【００２７】
また、メイン電子ダイヤル１１５を逆回転させた時は、プログラム→マニアル→ＡＶ優先→ＴＶ優先→プログラム→…とモードは変更される。
【００２８】
また、撮影モード選択ボタン１１７とメイン電子ダイヤル１１５によりＴＶ優先がモードとして設定されている場合には、メイン電子ダイヤル１１５を回転させることにより撮影者の希望するＴＶ値を設定することができる。
【００２９】
また、撮影モード選択ボタン１１７とメイン電子ダイヤル１１５によりＡＶ優先がモードとして設定されている場合には、メイン電子ダイヤル１１５を回転させることにより撮影者の希望とするＡＶ値を設定することができる。
【００３０】
また、ＡＦモード選択ボタン１１８と測光モード選択ボタン１１９を同時に押すことで、ＩＳＯ値の設定やＩＳＯブラケティングの設定ができるＩＳＯブラケティング設定モード（請求項のオートブラケティング設定モードに相当する）が選択される。尚、ＩＳＯブラケティング設定モードに関しては、後に詳述する。
【００３１】
図２において、１４０は撮影された画像を表示する表示手段としてのＬＣＤモニター装置（液晶表示器）である。１２１はＬＣＤモニター装置１４０をオン／オフするためのモニタースイッチである。ＬＣＤモニター装置１４０の裏面には不図示のバックライト照明装置が配置されている。
【００３２】
図１及び図２において、１１６はメイン電子ダイヤル１１５と同様の機能を備えた、第２の操作手段であるサブ電子ダイヤルである。撮影モード選択ボタン１１７とメイン電子ダイヤル１１５によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００３３】
図２において、１２２はこのサブ電子ダイヤル１１６による入力機能をロックするダイヤルロックスイッチ、１２３は本デジタルカメラの全ての動作を禁止するメインスイッチである。
【００３４】
１２４はＬＣＤモニター装置１２０に画像を表示する際や、カメラの初期設定の際にモードを選択するためのメニューボタンで、各モードを選択する時は、このメニューボタン１２４を押しながらサブ電子ダイヤル１１６を回転して希望のモードを選択する。希望のモードが選択された時、メニューボタン１２４を離すと選択が完了する。
【００３５】
１４０は撮影条件等を表示する外部表示機能を備えた液晶表示装置よりなる外部液晶表示装置である。
【００３６】
撮影レンズ２００は、カメラ本体１００に対して、不図示の本体マウントを介して交換可能である。
【００３７】
図３は、外部液晶表示装置１４０の詳細図であり、カメラの通常撮影時の表示状態を示している。
【００３８】
１４０ａは露出モードを示すセグメントであり、図３においてはプログラム撮影モードが選択されている状態を示している。１４０ｂはシャッター秒時表示用セグメントと、絞り値表示用セグメントであり、図３においては、シャッター秒時：１／２５０、絞り値：５．６を示している。１４０ｃは、撮影可能枚数用カウンターであり、図３においては、残り１５３枚の撮影が可能であることを示している。１４０ｄは露出補正量を示すセグメントであり、図３は露出補正が行われていない（補正０）状態を示している。
【００３９】
図４は、本発明の実施例である“一眼レフタイプデジタルカメラ”の構成を示すブロック図である。
【００４０】
図４において、１はカメラ本体に内蔵された制御手段であるところのマイクロコンピュータの中央処理装置（以下、ＭＰＵと記す）である。
【００４１】
ＭＰＵ１には、ＡＦ駆動回路１２，絞り駆動回路１３，ミラー駆動回路１４，焦点検出回路１６，シャッター駆動回路１７，映像信号処理回路１１，スイッチセンス回路２１，測光回路２３、液晶表示駆動回路２４が接続されている。ＭＰＵ１は各要素，上記回路を予め定めた順序でシーケンシャルに制御する。
【００４２】
２００はカメラ本体に着脱可能な撮影レンズ、１２はＡＦ（オートフォーカス）駆動回路で、ＭＰＵ１の制御によって撮影レンズ２００内のフォーカスレンズ位置を変化させることによりＣＣＤ７にピントを合わせる。
【００４３】
１３は絞り駆動回路で、ＭＰＵ１の制御によって絞り２を変化させて光学的な絞り値を変化させる。
【００４４】
４はメインミラーで撮影レンズ２００により結像される被写体像を、ペンタプリズム３へ導くと共に、その一部を透過させ、後述するサブミラー５を通して焦点検出用センサー１５へ導くためのメインミラーである。メインミラー４はミラー駆動回路１４により、ファインダーにて被写体像を観察可能な位置と撮影時に被写体光束の光路から待避する退避位置とを可動自在に構成されている。
【００４５】
５はメインミラー４の一部を透過した被写体光を反射させて、焦点検出用センサー１５へ被写体像を導くためのサブミラーである。サブミラー５は、前記メインミラー４、又は、前記メインミラー４のミラー駆動回路１４と連動し、前記メインミラー４がファインダーにて被写体像を観察可能な位置にあるときには、焦点検出用センサー１５へ被写体光を導く位置に、また、撮影時には被写体光束の光路から待避する退避位置に可動自在に構成されている。
【００４６】
１４はミラー駆動回路で、例えばＤＣモータとギヤトレインなどから構成され、ＭＰＵ１の制御によってメインミラー４やサブミラー５を駆動させる。
【００４７】
３はペンタプリズムでメインミラー４によって導かれた被写体像を正立正像に変換反射する光学部材である。
【００４８】
カメラ本体に着脱可能な撮影レンズ２００を通過した被写体光束は、絞り２を通過して、メインミラー４で反射されペンタプリズム３に導かれ接眼窓１１１で被写体像を観察する。
【００４９】
撮影レンズ２００を通過した被写体光束は、さらには測光センサー２２へも導かれる。また、メインミラー４を透過した光束はサブミラー５で反射され、焦点検出用センサー１５の検出面上で再結像される。
【００５０】
その光像は、電気的なイメージ信号に変換されて焦点検出回路１６に供給される。
【００５１】
焦点検出回路１６はＭＰＵ１の信号に従い、焦点検出用センサー１５の蓄積制御と読み出し制御を行って、画素情報をＭＰＵ１へ出力する。
【００５２】
ＭＰＵ１は焦点検出回路１６からの被写体像のイメージ信号に基づいて、周知の位相差検出法による焦点検出演算を行い、撮影レンズ２００による結像面とフィルム面等の予定結像面との差、すなわちデフォーカス量およびデフォーカス方向を求める。
【００５３】
そして、ＭＰＵ１は算出したデフォーカス量およびデフォーカス方向に基づいて、ＡＦ駆動回路１２を介して撮影レンズ２００のフォーカスレンズ位置を変化させ合焦位置まで駆動する。
【００５４】
６は機械シャッター装置で、ファインダー観察時には被写体光束を遮り、撮像時にはレリーズ信号に応じて被写体光束の光路から待避して露光を開始させる不図示の先羽根群と、ファインダー観察時には被写体光束の光路から待避しているとともに、撮像時には先羽根群の走行開始後所定のタイミングで被写体光束を遮光する不図示の後羽根群とを有するフォーカルプレーンシャッターである。機械シャッター装置６はＭＰＵ１の指令を受けたシャッター駆動回路１７によって制御される。
【００５５】
本実施例においては、先羽根群と後羽根群の両方とを有している場合について説明しているが、遮蔽部材を一つだけとして露光を開始する時は被写体光束の光路から退避し、撮影が終了後再び被写体光束の光路を遮蔽する位置まで戻るような構成としても構わない。
【００５６】
７は撮影レンズ２００により結像された被写体像を撮像して電気信号に変換する固体撮像素子である。固体撮像素子は、公知の２次元型撮像デバイスであるＣＣＤが用いられている。撮像デバイスには、ＣＣＤ型、ＭＯＳ型、ＣＩＤ型など様々な形態があり、何れの形態の撮像デバイスを採用しても良いが、本実施の形態においては、光電変換素子（フォトセンサ）が２次元的に配列され、各センサーで蓄積された信号電荷が垂直転送路、及び、水平転送路を介して出力されるインターライン型ＣＣＤ撮像素子が採用されている。
【００５７】
８はクランプ／ＣＤＳ（相関二重サンプリング）回路で、画像信号のノイズの低減などの基本的なアナログ処理を行う。
【００５８】
９はＡＧＣ（自動利得調整装置）で、Ａ／Ｄ変換する前のアナログ信号のゲインを調整することにより画像信号のレベル調整を行う。
【００５９】
後述するＩＳＯの値の変更処理は、制御手段であるＭＰＵ１の指令により、ＡＧＣ９でアナログ信号に対しゲイン調整を行うこと（以下アナログゲイン調整と記す）により行う。
【００６０】
１０はＡ／Ｄ変換であり、アナログの各画素信号をデジタル信号に変換する。
【００６１】
１１は映像信号処理回路で、内部に画像データ処理部１１ａ、画像表示処理部１１ｂ、画像圧縮処理部１１ｃ等を有し、ハードウエアによる画像処理全般を担当する。
【００６２】
画像データ処理部１１ａはデジタル化されたＣＣＤ７の画像データに、レベル補正、ホワイトバランスの調整、ガンマー調整処理、その他フィルター処理等を行う。
【００６３】
この画像データ処理部１１ａにおいて、制御手段であるＭＰＵ１の指令により、Ａ／Ｄ変換後の画像データに対し、レベル補正、ガンマー調整処理を行うことにより画像の露出レベルの調整を行うこと（以下デジタルゲイン調整と記す）が可能である。
【００６４】
画像表示処理部１１ｂはモニター表示用の情報合成処理などを行う。
【００６５】
画像圧縮処理部１１ｃは画像データに対しＪＰＥＧなどの圧縮処理を行う。
【００６６】
この映像信号処理回路１１からのモニター表示用の画像データは、ＬＣＤ駆動回路２５を介してＬＣＤモニター１２０に表示される。
【００６７】
これらの機能の切り換えは、ＭＰＵ１とのデータ交換により行わる。
【００６８】
また、連写の場合は、一旦、バッファメモリ２７に画像データを格納し、処理時間がかかる場合にメモリコントローラ２６を通して未処理の画像データを読み出し、映像信号処理回路１１で画像処理や圧縮処理を行い、連写スピードを稼ぐ構成となっている。
【００６９】
メモリコントローラ２６では、映像信号処理回路１１から入力された未処理のデジタル画像データをバッファメモリ２７に格納し、処理済みのデジタル画像を記録媒体２８に格納したり、逆にバッファメモリ２７や記録媒体２８から画像データを映像信号処理回路１１に出力したりする。
【００７０】
また、メモリコントローラ２６は、外部インターフェース２９から送られてくる映像をメモリ２８に記憶することや、記録媒体２８に記憶されている画像を外部インターフェース２９から出力可能である。なお、記録媒体２８は、カメラ本体に対して取り外しが可能である。
【００７１】
１１４ａはレリーズボタン１１４の第１ストロークによりオンするスイッチＳＷ１である。１１４ｂは、レリーズボタン１１４の第２ストロークによりオンするスイッチＳＷ２である。スイッチＳＷ２がオンされるとレリーズ操作が開始される。
【００７２】
２１はスイッチセンス回路で、ＳＷ１（１１４ａ）、ＳＷ２（１１４ｂ）、メイン電子ダイヤルＳＷ１１５、サブ電子ダイヤルＳＷ１１６、撮影モード選択ＳＷ１１７、ＡＦモード選択ＳＷ１１８、測光モード選択ＳＷ１１９が接続されていて、各スイッチの操作状態を検出してＭＰＵ１に送信する。
【００７３】
２３は測光回路で、測光センサー２２からの出力を画面内の各エリアの輝度信号として、ＭＰＵ１に出力する。ＭＰＵ１は輝度信号をＡ／Ｄ変換し、撮影の露出を算出する。
【００７４】
２４は液晶表示駆動回路で、ＭＰＵ１の表示内容命令に従って、外部液晶表示装置１４０やファインダー内液晶表示装置３０を駆動する。また、液晶表示駆動回路２４は、ＭＰＵ１の指示により特定のセグメントを点滅表示状態にすることが可能である。
【００７５】
３１は電源部で、各ＩＣ（集積回路）や駆動系に必要な電源を供給する。
【００７６】
次に、ＩＳＯブラケティング撮影の設定方法について説明する。
【００７７】
ＩＳＯブラケティング撮影とは、露光時間は変えずに（シャッタースピードや、絞り値を変化させずに）ＩＳＯの値を段階的に変更して撮影を行うものである。
【００７８】
図５のステップＳ１００において、ＡＦモードＳＷ１１８と測光モード選択ＳＷ１１９の両方が、ＯＮしたか否かを判別する。ＯＮされたと判別されたならば、ステップＳ１０１へ移行し、ＩＳＯブラケティング設定モードになる。
【００７９】
ステップＳ１０２では、メイン電子ダイヤル１１５の入力を判別する。メイン電子ダイヤル１１５の入力が確認されると、ステップＳ１０３に進む。メイン電子ダイヤル１１５の入力が確認されなければＳ１０４へ進む。
【００８０】
Ｓ１０３ではメイン電子ダイヤル１１５の入力に応じてＩＳＯの値を変更する。
【００８１】
なお、本実施例ではＩＳＯの値はＩＳＯ１００からＩＳＯ１６００の間で１／３段ステップで設定可能である。
【００８２】
この時の図７におけるＩＳＯの値の表示１４０ｃは、初期値の値がＩＳＯ２００ならば、メイン電子ダイヤル１１５が１クリック回転される毎に、２００→２５０→３２０→４００・・・→１６００まで１／３段づつ増加していく。また、逆回転方向に操作されると、１６００→１２５０→１０００→８００・・・→１００と１／３づつ減少していく。
【００８３】
ＩＳＯの値を変更処理が終了すると、Ｓ１０４に進む。
【００８４】
ステップＳ１０４にて、設定されているＩＳＯ値を判別し、ＩＳＯ値が２００以下の値であればＳ１０５に、２００より大きく４００以下の値であればＳ１０６に、４００より大きい値であればＳ１０７にそれぞれ進む。
【００８５】
ステップＳ１０５にて、制御手段であるＭＰＵ１は、ＩＳＯブラケティングにおける設定可能なブラケティング量の上限値（以下、ＩＳＯブラケティング可能量と記す）を±３段に設定しＳ１０８に進む。
【００８６】
ステップＳ１０６にて、制御手段であるＭＰＵ１は、ＩＳＯブラケティング可能量を±２段に設定しＳ１０８に進む。
【００８７】
ステップＳ１０７にて、制御手段であるＭＰＵ１は、ＩＳＯブラケティング可能量を±１段に設定しＳ１０８に進む。
【００８８】
ステップＳ１０８にて、設定されているＩＳＯブラケティング可能量に基づいてＩＳＯブラケティング量の修正処理を行う。具体的には、設定されているＩＳＯブラケティング量がＩＳＯブラケティング可能量より大きい場合は、ＩＳＯブラケティング量をＩＳＯブラケティング可能量と同じ値に変更する。
【００８９】
設定されているＩＳＯブラケティング量がＩＳＯブラケティング可能量以下の場合、またはＩＳＯブラケティング補正が設定されていない場合は何も処理を行わない。
【００９０】
ブラケティング量の修正処理が終了するとＳ１０９へ進む。
【００９１】
ステップＳ１０９において、制御手段であるマイクロコンピュータ１は、上記Ｓ１０２乃至Ｓ１０８にて行われた処理に基づいて外部表示液晶装置１４０の表示内容を変更する。
【００９２】
図６は、ＩＳＯ値の設定時における外部表示液晶装置１４０の表示例を示す図である。
【００９３】
図６−ａはＩＳＯ値変更前の初期状態の外部表示液晶装置１４０の表示状態であり、ここでは例としてＩＳＯ２００、ＩＳＯブラケティング量４／３（１．３）段が設定されている状態を表している。
【００９４】
図６において、１４０ｃは設定されているＩＳＯの値を示している。１４０ｄはＩＳＯブラケティング可能量をスケールで、ＩＳＯのブラケティング量をドットでそれぞれ示し、スケールの１目盛が１／３段を表している。１４０ｂはブラケティング量を７セグメント表示にて示している。
【００９５】
図６−ｂは、図６−ａの状態からステップＳ１０３においてＩＳＯの値がＩＳＯ２５０に変更された場合の外部表示液晶装置１４０の表示状態を示しており、表示部１４０ｃはＩＳＯ設定値の「２５０」を表示している。この場合、ステップＳ１０６において、ＩＳＯブラケティング可能量が±２段に設定されるため、表示部１４０ｄのスケール表示は±２段までの表示となる。
【００９６】
図６−ｃは、図６−ａの状態からステップＳ１０３においてＩＳＯの値がＩＳＯ５００に変更された場合の外部表示液晶装置１４０の表示状態を示しており、表示部１４０ｃはＩＳＯ設定値の「５００」を表示している。この場合、ステップＳ１０７において、ＩＳＯブラケティング可能量が±１段に設定されるため、表示部１４０ｄのスケール表示は±１段までの表示となる。また、Ｓ１０８にてＩＳＯブラケティング量が±１段に修正されるため、表示部１４０ｄのドット表示および１４０ｂの７セグメント表示は補正量±１段を示す表示となる。
【００９７】
図５に戻り、ステップＳ１１０にてサブ電子ダイヤル１１６の入力が確認されると、ステップＳ１１１に進む。サブ電子ダイヤル１１６の入力が確認されなければステップＳ１１３に進む。
【００９８】
Ｓ１１１にてブラケティングの補正量の設定処理を行う。
【００９９】
図７は、ＩＳＯブラケティング量の設定時における外部表示液晶装置１４０の表示例を示す図である。
【０１００】
図７−ａはＩＳＯブラケティング量の設定前の初期状態の外部表示液晶装置１４０の表示状態であり、ここでは例としてＩＳＯ値として２００が設定されている状態を表している。
【０１０１】
この時のブラケティング量を示す１４０ｄの表示は、初期状態である図７−ａの状態から、サブ電子ダイヤル１１６が１クリック回転される毎に、ドットが１ドットづつ変化していく。図７−ｂは、サブ電子ダイヤル１１６が初期状態図７−ａから１クリック操作されたときのドットの状態を示し、図７−ｃはサブ電子ダイヤル１１６が初期状態から、２クリック操作された状態を示している。
【０１０２】
また、サブ電子ダイヤル１１６を逆方向に回転されると、図７−ｃの状態から図７−ｂ→図７−ａの状態へ１ドットづつ逆に変化していく。
【０１０３】
ブラケティング量を７セグメントで示す１４０ｂの表示もドットの表示に対応して、サブ電子ダイヤル１１６が１クリック回転される毎に、ブラケティング量が０．０→０．３→０．７→・・・と１／３段づつ変化していく。このブラケティング量の上限値は前述したように設定されているＩＳＯの値により異なるものとなる。また、逆方向へ回転されると、・・・→０．７→０．３→０．０と変化していく。
【０１０４】
図５に戻って、ステップＳ１１１にてＩＳＯブラケティングの補正が行われると、ステップＳ１１２にて、ＩＳＯブラケティングのフラグを設定し、変数Ｎ＝０をＭＰＵ１内のメモリに記憶して、ステップＳ１１３へ移行する。このフラグが設定されると後述するＩＳＯブラケティング撮影が行われる。つまりは、ＩＳＯ設定モードにてサブ電子ダイヤル１１６が操作され、ブラケティング量が設定されると、ＩＳＯブラケティング撮影が行われることになる。
【０１０５】
ステップＳ１１３では、ＡＦモードＳＷ１１８・測光モード選択ＳＷ１１９がＯＦＦしたか否かを判別し、ＯＦＦしていない場合には、Ｓ１０１へ移行し以上説明した操作を繰り返し、ＯＦＦされたと判別された時には、ステップＳ１１４へ移行する。
【０１０６】
ステップＳ１１４では、ＩＳＯブラケティングのフラグ（変数Ｎ＝０）が設定されているか否かを判別する。設定されているときはステップＳ１１５へ移行し、設定されていない時は、ＩＳＯブラケティング設定モードを終了する。
【０１０７】
ステップＳ１１５において、制御手段であるマイクロコンピュータ１は、図３にて説明した外部表示液晶装置１４０の１４０ｃの表示を、ＩＳＯ表示へ変更する。このときの表示は図９−ａの表示となる。
【０１０８】
ここで、図９を用いてＩＳＯブラケティング撮影中の表示について説明する。
【０１０９】
図９−ａ，図９−ｂ，図９−ｃは、それぞれ露出適正、露出アンダー、露出オーバー撮影前の状態を示している。
【０１１０】
図９−ａにおいて、１４０ｃはＩＳＯブラケティング撮影時のＩＳＯの値を表示している。（通常撮影時は図３にて説明した通り、撮影可能枚数用カウンターである）１４０ｄはＩＳＯブラケティング撮影時の露出補正量を表し、図９−ａにおいては、露出補正が行われていない（補正０）ことを表している。なお、この１４０ｄのドットはＩＳＯブラケティング撮影中点滅を続けている。
【０１１１】
１４０ｅは１４０ｃの表示がＩＳＯ表示であることを撮影者に報知しているＩＳＯ表示セグメントである。また、ＩＳＯブラケティング撮影中、点滅を続けているので、撮影者はＩＳＯ設定モードではなく、ＩＳＯブラケティング撮影中であることを知ることができる。図９−ｂ、図９−ｃの表示については後述する。
【０１１２】
次に、図８、図１０のフローチャートを用いて、ＩＳＯブラケティングの撮影シーケンスについて説明する。
【０１１３】
なお、図８、図１０のフローチャートにおいては、ＩＳＯの値や、アナログゲイン調整量、デジタルゲイン調整量、ＩＳＯブラケティング量を、対応するゲイン値に換算して演算処理を行っている。
【０１１４】
本実施例では、ＩＳＯ１００に対応するアナログゲインのゲイン値が０であり、アナログゲイン値１が露出段数１／３段に対応するように定義されている。つまり、ＩＳＯ１００、１２５、１６０、２００、・・・、１６００に対応するアナログゲインの値は、それぞれ０、１、２、３、・・・、１２となっている。
【０１１５】
また、本実施例では、デジタルゲイン調整の露出段数１／３段がデジタルゲイン値１に対応するように定義されている。つまり、露出−１段のデジタルゲイン調整に対応するデジタルゲイン値は−３に、露出＋１段のデジタルゲイン調整に対応するデジタルゲイン値は３にそれぞれ対応することとなる。
【０１１６】
また、同様にＩＳＯのブラケティング量１／３段がＩＳＯブラケティング補正ゲイン値１に対応するように定義されている。つまり、１段のＩＳＯのブラケティング量はＩＳＯブラケティング補正ゲイン値３に、２段のＩＳＯのブラケティング量はＩＳＯブラケティング補正ゲイン値６に、それぞれ対応することとなる。
【０１１７】
まず、ステップＳ２０１では、図５のステップＳ１１２にてＩＳＯブラケティングフラグが設定されているか否かを判別する。ＩＳＯブラケティングが設定されていればＳ２０２へ移行し、ＩＳＯブラケティングフラグが設定されていない時には、ステップＳ２０５へ移行する。
【０１１８】
ステップＳ２０２では、図５のステップと１０８またはステップと１１１にて設定されたＩＳＯブラケティング量に相当するＩＳＯブラケティング補正ゲイン値Ｂｉを取得し、と２０３へ進む。
【０１１９】
ステップと２０３において、ＩＳＯブラケティング撮影における感度設定処理を行い、ステップと２０４へ進む。感度設定処理の詳細については後述する。
【０１２０】
ステップと２０４では、必要に応じ外部表示液晶装置１４０の表示を切り換える。
【０１２１】
表示の切り換えついて図９を用いて詳述する。
【０１２２】
図９−ａはすでに説明した通り、ＩＳＯブラケティングが設定された直後の状態で、適正露出での撮影前の状態を示している。
【０１２３】
１４０ｃは図５のステップＳ１０２で設定されたＩＳＯの値を表示し、１４０ｄは補正０の状態を示している。
【０１２４】
図９−ｂは、ＩＳＯブラケティング撮影中、露出アンダー側の撮影前の状態を示している。なお、図９−ｂは−１／３段補正された状態を示している。
【０１２５】
図９−ｃは、ＩＳＯブラケティング撮影中、露出オーバー側の撮影前の状態を示している。なお、図９−ｃは＋１／３段補正された状態を示している。
【０１２６】
図９−ｂ、図９−ｃにおいて、１４０ｃは図８のステップＳ２０３の処理で設定されたＩＳＯ値を示している。
【０１２７】
ステップＳ２０４で、外部表示液晶装置１４０の表示を切り換えたら、ステップＳ２０５へ移行する。
【０１２８】
ステップＳ２０５にてＳＷ１がＯＮされたか否かを判別し、ＯＮされたと判別されたならば、ステップＳ２０６へ移行する。ＯＮされたと判別されなかったならば、ステップＳ２０５の処理を繰り返す。
【０１２９】
ステップＳ２０６では測光回路２３から出力されたデータに基づいて、ＭＰＵ１にて露出値（シャッタースピードや絞り値）を算出するとともに、焦点検出回路１６からの被写体像のイメージ信号に基づいて、ＭＰＵ１にて周知の位相差検出法による焦点検出演算を行い、デフォーカス量およびデフォーカス方向を求め、ＡＦ駆動回路１２を介して撮影レンズ２００のフォーカスレンズ位置を変化させ合焦位置まで駆動する。これらの処理が終了した後Ｓ２０７へ移行する。
【０１３０】
ステップＳ２０７では、ＳＷ２がＯＮされたか否かを判別する。ＯＮされていないと判別された時には、ステップＳ２０８へ移行する。ＳＷ２がＯＮされたと判別した時にはステップＳ２０９へ移行する。
【０１３１】
ステップＳ２０８にてＳＷ１がＯＮされているか否かを判別し、ＯＮされていると判別されたならば、ステップＳ２０７へ移行する。ＯＮされたと判別されなかったならば、ステップＳ２０５へ移行する。
【０１３２】
ステップＳ２０９では一連の撮影処理を行い、撮影処理が終了するとＳ２１０へ移行する。このステップＳ２０９の撮影処理については後述する。
【０１３３】
ステップＳ２１０において映像信号処理回路１１にて所定の画像処理を行う。後述するデジタルゲイン調整も本ステップの画像処理において行う。画像処理を行った後に、ステップＳ２１１へ移行する。
【０１３４】
ステップＳ２１１において、メモリコントローラ２６は画像データを記録媒体２８へ記録して、ステップＳ２１２へ移行する。
【０１３５】
ステップＳ２１２において、ＭＰＵ１は、ＭＰＵ１内の内部メモリに記憶されたＩＳＯブラケティングフラグの状態を調べ、ＩＳＯブラケティングフラグが設定されていたならばステップＳ２１３へ進み、ＩＳＯブラケティングフラグが解除されていたならば一連の撮影が終了する。
【０１３６】
ステップＳ２１３では、変数Ｎに対し
Ｎ＝Ｎ＋１
の演算処理を行い、ステップＳ２１４に進む。
【０１３７】
ステップＳ２１４でＭＰＵ１は、変数ＮがＮ＝３に到達したかどうかを判断し、Ｎ＝３に到達していると判断されたならば、ステップＳ２１５にてＩＳＯブラケティングフラグを解除して、撮影を終了する。
【０１３８】
ステップＳ２１４で変数ＮがＮ＝３に到達していないと判断されたならば、ステップＳ２０３へ戻り、次のＩＳＯブラケティング撮影処理を行う。
【０１３９】
図１０は図８のステップＳ２０３におけるＩＳＯブラケティング時の感度設定動作の詳細を示すフローチャート図である。
【０１４０】
まず、図８のステップｓ２０３において本サブルーチンが呼び出されると、ステップＳ３０１において、ＭＰＵ１は、変数Ｎの値を調べ、Ｎ＝０であればＳ３０２へ移行し、以後の処理でＩＳＯブラケティング時の標準ＩＳＯ値の取得処理をする。Ｎ＝１であればＳ３０３へ移行し、以後の処理でＩＳＯブラケティング時のアンダー側のＩＳＯ値の設定処理をする。Ｎ＝２であればＳ３０５へ移行し、以後の処理でＩＳＯブラケティング時のオーバー側のＩＳＯ値の設定処理をする。
【０１４１】
ステップＳ３０２では、ＩＳＯに対応するアナログゲインのゲイン値Ｇａを取得し、ＭＰＵ１内の内部メモリに記憶する。ステップＳ３０２の処理が終了すると本サブルーチンを終了する。
【０１４２】
ステップＳ３０３では、制御手段であるＭＰＵ１は、アナログゲインを
ＭＡＸ（０，Ｇａ−Ｂｉ）
に設定し、ステップＳ３０４に移行する。
【０１４３】
ステップＳ３０４では、制御手段であるＭＰＵ１は、デジタルゲインを
ＭＡＸ（−３，ＭＩＮ（０，Ｇａ−Ｂｉ））
に設定し、本サブルーチンを終了する。
【０１４４】
上記ステップＳ３０３、ステップＳ３０４の処理によれば、Ｎ＝１、すなわちＩＳＯブラケティング時のアンダー側のＩＳＯ値の設定処理時にＧａ＝０（標準ＩＳＯ１００）、Ｂｉ＝９（ＩＳＯブラケティング量３段）の場合、アナログゲインが０、デジタルゲインが−３に設定され、アンダー側のＩＳＯ値が５０相当に設定される。この場合、アナログゲインでの補正量は０段、デジタルゲインでの補正量は−１段となっている。
【０１４５】
また、Ｇａ＝０（標準ＩＳＯ１００）、Ｂｉ＝３（ＩＳＯブラケティング量１段）の場合、アナログゲインが０、デジタルゲインが−３に設定され、アンダー側のＩＳＯ値が５０相当に設定される。この場合、アナログゲインでの補正量は０段、デジタルゲインでの補正量は−１段となっている。
【０１４６】
上記２例のように、標準のＩＳＯ設定では不可能なＩＳＯ１００以下の低ＩＳＯ側の設定を、デジタルゲイン補正を使用することにより可能な構成としている。
【０１４７】
また、Ｇａ＝６（標準ＩＳＯ４００）、Ｂｉ＝６（ＩＳＯブラケティング量２段）の場合、アナログゲインが０、デジタルゲインが０に設定され、アンダー側のＩＳＯ値が１００相当に設定される。この場合、アナログゲインでの補正量は−２段、デジタルゲインでの補正量は０段となっている。
【０１４８】
また、Ｇａ＝１０（標準ＩＳＯ１０００）、Ｂｉ＝３（ＩＳＯブラケティング量１段）の場合、アナログゲインが７、デジタルゲインが０に設定され、アンダー側のＩＳＯ値が５００相当に設定される。この場合、アナログゲインでの補正量は−１段、デジタルゲインでの補正量は０段となっている。
【０１４９】
ステップＳ３０５では、ＭＰＵ１内の内部メモリに記憶されているＧａの値を取得し、Ｇａ≦３（つまり、標準ＩＳＯ２００以下）であれば、ステップＳ３０６へ移行する。３＜Ｇａ≦９（つまり、標準ＩＳＯが２００より大きく８００以下）であれば、ステップＳ３０８へ移行する。９＜Ｇａ（つまり、標準ＩＳＯが８００より大きい）場合はステップＳ３１０へ移行する。
【０１５０】
ステップＳ３０６では、制御手段であるＭＰＵ１は、アナログゲインを
ＭＩＮ（１２，ＭＩＮ（６，Ｂｉ）＋Ｇａ）
に設定し、ステップＳ３０７に移行する。
【０１５１】
ステップＳ３０７では、制御手段であるＭＰＵ１は、デジタルゲインを
ＭＡＸ（０，Ｂｉ−６）
に設定し、本サブルーチンを終了する。
【０１５２】
ステップＳ３０８では、制御手段であるＭＰＵ１は、アナログゲインを
ＭＩＮ（１２，ＭＩＮ（３，Ｂｉ）＋Ｇａ）
に設定し、ステップＳ３０９に移行する。
【０１５３】
ステップＳ３０９では、制御手段であるＭＰＵ１は、デジタルゲインを
ＭＡＸ（０，Ｂｉ−３）
に設定し、本サブルーチンを終了する。
【０１５４】
ステップＳ３１０では、制御手段であるＭＰＵ１は、アナログゲインを
Ｇａ
に設定し、ステップＳ３１１に移行する。
【０１５５】
ステップＳ３１１では、制御手段であるＭＰＵ１は、デジタルゲインを
Ｂｉ
に設定し、本サブルーチンを終了する。
【０１５６】
上記ステップＳ３０５乃至ステップＳ３１１の処理によれば、Ｎ＝２、すなわちＩＳＯブラケティング時のオーバー側のＩＳＯ値の設定処理時にＧａ＝０（標準ＩＳＯ１００）、Ｂｉ＝９（ＩＳＯブラケティング量３段）の場合、アナログゲインが６、デジタルゲインが３に設定され、オーバー側のＩＳＯ値が８００相当に設定される。この場合、アナログゲインでの補正量は＋２段、デジタルゲインでの補正量は＋１段となっている。
【０１５７】
上記のように、オーバー側のＩＳＯ値の設定処理において、標準ＩＳＯ値が２００以下の場合、ＩＳＯブラケティング量が２段よりも大きい値の時には、大幅なアナログゲイン調整の適用によるノイズの増加を防ぐため、デジタルゲイン調整を併用する構成となっている。
【０１５８】
また、Ｇａ＝０（標準ＩＳＯ１００）、Ｂｉ＝３（ＩＳＯブラケティング量１段）の場合、アナログゲインが３、デジタルゲインが０に設定され、オーバー側のＩＳＯ値が２００相当に設定される。この場合、アナログゲインでの補正量は＋１段、デジタルゲインでの補正量は＋０段となっている。
【０１５９】
また、Ｇａ＝６（標準ＩＳＯ４００）、Ｂｉ＝６（ＩＳＯブラケティング量２段）の場合、アナログゲインが９、デジタルゲインが３に設定され、オーバー側のＩＳＯ値が１６００相当に設定される。この場合、アナログゲインでの補正量は＋１段、デジタルゲインでの補正量は＋１段となっている。
【０１６０】
上記のように、オーバー側のＩＳＯ値の設定処理において、標準ＩＳＯ値が２００より大きく８００以下の場合、ＩＳＯブラケティング量が１段よりも大きい値の時には、大幅なアナログゲイン調整の適用によるノイズの増加を防ぐため、デジタルゲイン調整を併用する構成となっている。
【０１６１】
また、Ｇａ＝１０（標準ＩＳＯ１０００）、Ｂｉ＝３（ＩＳＯブラケティング量１段）の場合、アナログゲインが１０、デジタルゲインが３に設定され、オーバー側のＩＳＯ値が２０００相当に設定される。この場合、アナログゲインでの補正量は０段、デジタルゲインでの補正量は＋１段となっている。
【０１６２】
上記のように、オーバー側のＩＳＯ値の設定処理において、標準ＩＳＯ値が８００より大きい場合、アナログゲイン調整の適用によるノイズの増加を防ぐため、デジタルゲイン調整を使用する構成となっている。
【０１６３】
また、以上説明した本実施形態によれば、ＩＳＯブラケティング時のアンダー側のＩＳＯ値の下限値はＩＳＯ５０、ＩＳＯブラケティング時のオーバー側のＩＳＯ値の上限値はＩＳＯ３２００となり、標準ＩＳＯ値の設定可能範囲であるＩＳＯ１００からＩＳＯ１６００よりも広くなる構成となっている。
【０１６４】
図１１は、図８のステップＳ２０９における撮影処理の詳細なフローチャートを示す。
【０１６５】
ステップＳ４０１でミラー駆動回路１４は、ＭＰＵ１の命令により、メインミラー４・サブミラー５をミラーアップ位置に移動する。
【０１６６】
ステップＳ４０２において、ＭＰＵ１は図８のステップＳ２０６にて算出された絞り値に、絞り駆動回路１３によって絞り２を駆動する。
【０１６７】
ステップＳ４０３において、ＭＰＵ１は、ＣＣＤ７の電荷クリア動作を行った後に、ステップＳ４０４にてＣＣＤ７の電荷蓄積を開始してステップＳ４０５へ移行する。
【０１６８】
ステップＳ４０５において、シャッター駆動回路１７によって、機械シャッター装置６内の先羽根群を駆動させ（シャッターが開く）、ＣＣＤ７の露光を開始する（ステップＳ４０６）。
【０１６９】
ステップＳ４０７においてＭＰＵ１は、図８のステップＳ２０６にて算出されたＣＣＤ７の露光時間が終了したか否かを判別し、終了したと判別された時には、ステップＳ４０８へ移行する。
【０１７０】
ステップＳ４０８において、シャッター駆動回路１７はＭＰＵ１の指示に従い、機械シャッター装置６内の後羽根群を駆動して、シャッターを閉じ、ＣＣＤ７の露光を終了する。
【０１７１】
ステップＳ４０９において、絞り駆動回路１３は絞り２を開放の絞り値まで駆動すると共に、ステップＳ４１０にて、メインミラー４とサブミラー５をミラー駆動回路１４によってミラーダウン位置に移動する。
【０１７２】
ステップＳ４１１では、設定した電荷蓄積時間が経過したか否かを判別し、経過したと判別されたならばステップＳ４１２へ移行する。
【０１７３】
ステップＳ４１２において、ＭＰＵ１は、ＣＣＤ７の電荷蓄積を終了し、その後、ステップＳ４０３にて、ＣＣＤ７から電荷信号を読み出す。
【０１７４】
一連の処理を終えたならば、撮影処理ルーチンを終了する。
【０１７５】
以上説明した本実施形態によれば、ＩＳＯブラケティング撮影におけるＩＳＯブラケティング可能量が、低ＩＳＯ設定時には大きく、高ＩＳＯ設定時には小さくなるため、ＩＳＯブラケティング撮影した一連の画像のノイズ等の特性が大きく異なることを防止できる構成となっている。
【図面の簡単な説明】
【０１７６】
【図１】本発明のデジタル一眼レフカメラの上面図
【図２】本発明のデジタル一眼レフカメラの背面図
【図３】本発明のデジタル一眼レフカメラの外部液晶表示装置の表示例を示す図
【図４】本発明のデジタル一眼レフカメラの電気回路を示すブロック図
【図５】本発明のデジタル一眼レフカメラのＩＳＯブラケティング設定動作を示すフローチャート図
【図６】本発明のデジタル一眼レフカメラのＩＳＯ設定時における外部液晶表示装置の表示例を示す図で、図６−ａは初期状態（ＩＳＯ２００）の表示、図６−ｂはＩＳＯ２５０の表示、図６−ｃはＩＳＯ５００の表示を示す
【図７】本発明のデジタル一眼レフカメラのＩＳＯブラケティング設定時における外部液晶表示装置の表示例を示す図で、図７−ａは初期状態の表示、図７−ｂは補正量１／３段の表示、図７−ｃは補正量２／３段の表示を示す
【図８】本発明のデジタル一眼レフカメラの動作を示すフローチャート図
【図９】本発明のデジタル一眼レフカメラのＩＳＯブラケティング撮影中における外部液晶表示装置の表示例を示す図で、図９−ａは適正撮影前の表示、図９−ｂはアンダー撮影前の表示、図９−ｃはオーバー撮影前の表示を示す
【図１０】本発明のデジタル一眼レフカメラのＩＳＯブラケティング時の設定動作を示すフローチャート図
【図１１】本発明のデジタル一眼レフカメラの撮影動作を示すフローチャート図
【符号の説明】
【０１７７】
１  マイクロコンピュータ
２  絞り
３  ペンタプリズム
４  メインミラー
５  サブミラー
６  機械シャッター装置
７  ＣＣＤ
８  クランプ／ＣＤＳ回路
９  ＡＧＣ
１０  Ａ／Ｄ変換機
１１  映像信号処理回路
１１ａ  画像データ処理部
１１ｂ  画像表示処理部
１１ｃ  画像圧縮処理部
１２  ＡＦ駆動回路
１３  絞り駆動回路
１４  ミラー駆動回路
１５  焦点検出センサー
１６  焦点検出回路
１７  シャッター駆動回路
２１  スイッチセンス回路
２２  測光センサー
２３  測光回路
２４  液晶表示駆動回路
２５  ＬＣＤ駆動回路
２６  メモリコントローラ
２７  バッファメモリ
２８  記録媒体
２９  インターフェース
３０  ファインダー内液晶表示装置
３１  電源部
１００  カメラ本体
１１１  接眼窓
１１２  ＡＥロックボタン
１１３  測距点選択ボタン
１１４  レリーズボタン
１１４ａ  ＳＷ１
１１４ｂ  ＳＷ２
１１５  メイン電子ダイヤル
１１６  サブ電子ダイヤル
１１７  撮影モード選択ボタン
１１８  ＡＦモード選択ボタン
１１９  測光モード選択ボタン
１２０  ＬＣＤモニター
１２１  モニタースイッチ
１２２  ダイヤルロックスイッチ
１２３  メインスイッチ
１２４  メニューボタン
１４０  外部表示液晶装置
１４０ａ  露出モードを示すセグメント
１４０ｂ  シャッター秒時表示用セグメント
１４０ｃ  撮影可能枚数用カウンター
１４０ｄ  露出補正量を示すセグメント
１４０ｅ  ＩＳＯ表示セグメント
２００  撮影レンズ
Ｓ１００  ＡＦモードＳＷ、ＡＥモードＳＷＯＮ？
Ｓ１０１  ＩＳＯブラケティング設定モード
Ｓ１０２  メイン電子ダイヤル入力？
Ｓ１０３  ＩＳＯの値を変更
Ｓ１０４  ＩＳＯ値？
Ｓ１０５  ブラケティング可能範囲±３段に設定
Ｓ１０６  ブラケティング可能範囲±２段に設定
Ｓ１０７  ブラケティング可能範囲±１段に設定
Ｓ１０８  ブラケティング量修正
Ｓ１０９  表示内容変更
Ｓ１１０  サブ電子ダイヤル入力？
Ｓ１１１  ブラケティング補正
Ｓ１１２  ＩＳＯブラケティングフラグ設定
Ｓ１１３  ＡＦモードＳＷＯＦＦ？、ＡＥモードＳＷＯＦＦ？
Ｓ１１４  ＩＳＯブラケティングフラグ設定？
Ｓ１１５  表示内容変更
Ｓ２０１  ＩＳＯブラケティングフラグ設定？
Ｓ２０２  Ｂｉ取得
Ｓ２０３  ＩＳＯブラケティング感度設定
Ｓ２０４  表示内容変更
Ｓ２０５  ＳＷ１  ＯＮ？
Ｓ２０６  測光、測距
Ｓ２０７  ＳＷ２  ＯＮ？
Ｓ２０８  ＳＷ１  ＯＮ？
Ｓ２０９  撮影
Ｓ２１０  画像処理
Ｓ２１１  記録
Ｓ２１２  ＩＳＯブラケティングフラグ設定？
Ｓ１２３  Ｎ＝Ｎ＋１
Ｓ２１４  Ｎ＝３？
Ｓ２１５    ＳＯブラケティング実行フラグ解除
Ｓ３０１：Ｎ＝？
Ｓ３０２  Ｇａ取得
Ｓ３０３  アナログゲインＭＡＸ（０，Ｇａ−Ｂｉ）
Ｓ３０４  デジタルゲインＭＡＸ（−３，ＭＩＮ（０，Ｇａ−Ｂｉ））
Ｓ３０５  Ｇａ＝？
Ｓ３０６  アナログゲインＭＩＮ（１２，ＭＩＮ（６，Ｂｉ）＋Ｇａ）
Ｓ３０７  デジタルゲインＭＡＸ（０，Ｂｉ−６）
Ｓ３０８  アナログゲインＭＩＮ（１２，ＭＩＮ（３，Ｂｉ）＋Ｇａ）
Ｓ３０９  デジタルゲインＭＡＸ（０，Ｂｉ−３）
Ｓ３１０  アナログゲインＧａ
Ｓ３１１  デジタルゲインＢｉ
Ｓ４０１  ミラーアップ
Ｓ４０２  絞り駆動
Ｓ４０３  ＣＣＤクリア
Ｓ４０４  ＣＣＤ蓄積開始
Ｓ４０５  シャッター開
Ｓ４０６  露光開始
Ｓ４０７  露光終了？
Ｓ４０８  シャッター閉
Ｓ４０９  絞り開放
Ｓ４１０  ミラーダウン
Ｓ４１１  設定時間経過？
Ｓ４１２  ＣＣＤ蓄積終了
Ｓ４１３  映像信号読み出し
【図１】
2005257743.tif 000003
【図２】
2005257743.tif 000004
【図３】
2005257743.tif 000005
【図４】
2005257743.tif 000006
【図５】
2005257743.tif 000007
【図６】
2005257743.tif 000008
【図７】
2005257743.tif 000009
【図８】
2005257743.tif 000010
【図９】
2005257743.tif 000011
【図１０】
2005257743.tif 000012
【図１１】
2005257743.tif 000013